(57)【要約】【課題】ユーザ装置（UE）が新たな移動管理エンティティに位置登録を実行した際に、当該ユーザ装置宛ての下りリンクデータがバッファリングされている場合でも、当該ユーザ装置に対して加入者情報に基づく適切なeDRXの設定情報を通知し得る移動管理エンティティ及び無線通信方法を提供する。【解決手段】MME100Bは、UE20からTAU Requestを受信する。MME100Bは、UE20宛てのバッファリングデータが存在する場合、UE20と対応付けられた加入者情報によって規定されるeDRXの設定情報を取得する。MME100Bは、TAU Requestの受信に応じて、取得した設定情報を含むTAU AcceptをUE20に向けて送信する。【選択図】図６
2019033432.tif 000002
【特許請求の範囲】
【請求項１】
ユーザ装置から位置登録要求を受信する移動管理エンティティであって、
ゲートウェイ装置において前記ユーザ装置宛てのバッファリングデータが存在する場合、前記ユーザ装置と対応付けられた加入者情報によって規定される間欠受信の設定情報を取得する設定情報取得部と、
前記位置登録要求の受信に応じて、前記設定情報取得部によって取得された前記設定情報を含む位置登録受諾を前記ユーザ装置に向けて送信する位置登録受諾送信部と
を備える移動管理エンティティ。
【請求項２】
前記設定情報取得部は、前記ユーザ装置が前記位置登録要求を送信する前に、前記ユーザ装置が位置登録されていた旧移動管理エンティティが保持している前記設定情報を取得する請求項１に記載の移動管理エンティティ。
【請求項３】
前記設定情報取得部は、前記旧移動管理エンティティから送信されたコンテキスト応答に含まれる前記設定情報を取得し、
前記コンテキスト応答は、前記バッファリングデータの存在を示す情報を含む請求項２に記載の移動管理エンティティ。
【請求項４】
前記設定情報取得部は、加入者情報サーバから前記設定情報を取得する請求項１に記載の移動管理エンティティ。
【請求項５】
前記設定情報取得部は、前記加入者情報サーバによって送信される認証情報応答に含まれている前記設定情報を取得する請求項４に記載の移動管理エンティティ。
【請求項６】
ネットワーク装置によって実行される無線通信方法であって、
前記ネットワーク装置が、ユーザ装置から位置登録要求を受信するステップと、
前記ユーザ装置宛てのバッファリングデータが存在する場合、前記ネットワーク装置が、前記ユーザ装置と対応付けられた加入者情報によって規定される間欠受信の設定情報を取得するステップと、
前記ネットワーク装置が、前記位置登録要求の受信に応じて、取得した前記設定情報を含む位置登録受諾を前記ユーザ装置に向けて送信するステップと
を含む無線通信方法。
【発明の詳細な説明】
【技術分野】
【０００１】
本発明は、ユーザ装置から位置登録要求を受信する移動管理エンティティ及び無線通信方法に関する。
【背景技術】
【０００２】
3rd Generation Partnership Project（3GPP）は、Long Term Evolution（LTE）を仕様化し、LTEのさらなる高速化を目的としてLTE-Advanced（以下、LTE-Advancedを含めてLTEという）を仕様化している。また、3GPPでは、さらに、5G New Radio（NR）などと呼ばれるLTEの後継システムの仕様が検討されている。
【０００３】
LTEのRelease-13では、ユーザ装置（UE）の間欠受信（Discontinuous Reception (DRX)）の周期を引き延ばしたextended DRX（eDRX）が規定されている。従来のDRXの周期（スリープ時間）が最大2.56秒であるのに対して、eDRXの周期は最大43.69分（カテゴリM1の場合）となる。これにより、UEのスリープ時間が長くなり、さらに効果的なバッテリーセービングが可能となる。
【０００４】
また、LTEのRelease-13では、UEが、新たな移動管理エンティティ（New Mobility Management Entity (New MME)）に対して位置登録（Tracking Area Update）を実行した際に、Serving Gateway（S-GW）に当該UE宛ての下りリンクデータ（DLデータがバッファリングされている場合、ユーザプレーンのベアラを設定し、バッファリングされているDLデータを当該UEに向けて直ちに転送することが規定されている（非特許文献１参照）。
【０００５】
具体的には、UEがNew MMEに送信した位置登録要求（TAU Request）に対する位置登録受諾（TAU Accept）が当該UEに返送され次第、バッファリングされているDLデータが当該UEに転送される。
【０００６】
このため、New MMEが、加入者情報サーバ（Home Subscriber Server (HSS)）から当該UEの加入者情報を取得するタイミング、具体的には、HSSからUpdate Location Answerを受信するタイミングは、TAU Acceptの送信後となる。
【先行技術文献】
【非特許文献】
【０００７】
【非特許文献１】3GPP TS 23.401 V13.11.0 Clause 5.3.3.1A Tracking Area Update procedure with Serving GW change and data forwarding, 3rd Generation Partnership Project; Technical Specification Group Services and System Aspects; General Packet Radio Service (GPRS) enhancements for Evolved Universal Terrestrial Radio Access Network (E-UTRAN) access(Release 13)、3GPP、2017年6月
【発明の概要】
【発明が解決しようとする課題】
【０００８】
New MMEがHSSから取得する加入者情報には、eDRXの設定情報（eDRXの周期など）が含まれている。
【０００９】
しかしながら、上述したように、New MMEが加入者情報を取得するタイミングは、TAU Acceptが送信され、バッファリングされているDLデータが当該UEに転送された後である。このため、New MMEは、加入者情報によって指定されている適切なeDRXの設定情報を当該UE（及び無線基地局（eNB））に通知するタイミングを逸してしまう問題がある。
【００１０】
そこで、本発明は、このような状況に鑑みてなされたものであり、ユーザ装置（UE）が新たな移動管理エンティティに位置登録を実行した際に、当該ユーザ装置宛ての下りリンクデータがバッファリングされている場合でも、当該ユーザ装置に対して加入者情報に基づく適切なeDRXの設定情報を通知し得る移動管理エンティティ及び無線通信方法の提供を目的とする。
【課題を解決するための手段】
【００１１】
本発明の一態様は、ユーザ装置（UE20）から位置登録要求（TAU Request）を受信する移動管理エンティティ（MME100B）であって、ゲートウェイ装置（S-GW200A）において前記ユーザ装置宛てのバッファリングデータが存在する場合、前記ユーザ装置と対応付けられた加入者情報によって規定される間欠受信の設定情報（eDRX情報）を取得する設定情報取得部（eDRX情報取得部117）と、前記位置登録要求の受信に応じて、前記設定情報取得部によって取得された前記設定情報を含む位置登録受諾を前記ユーザ装置に向けて送信する位置登録受諾送信部（位置登録受諾送信部119）とを備える。
【００１２】
本発明の一態様は、ネットワーク装置によって実行される無線通信方法であって、前記ネットワーク装置が、ユーザ装置から位置登録要求を受信するステップと、前記ユーザ装置宛てのバッファリングデータが存在する場合、前記ネットワーク装置が、前記ユーザ装置と対応付けられた加入者情報によって規定される間欠受信の設定情報を取得するステップと、前記ネットワーク装置が、前記位置登録要求の受信に応じて、取得した前記設定情報を含む位置登録受諾を前記ユーザ装置に向けて送信するステップとを含む。
【発明の効果】
【００１３】
上述した移動管理エンティティ及び無線通信方法によれば、ユーザ装置が新たな移動管理エンティティに位置登録を実行した際に、当該ユーザ装置宛ての下りリンクデータがバッファリングされている場合でも、当該ユーザ装置に対して加入者情報に基づく適切なeDRXの設定情報を通知し得る。
【図面の簡単な説明】
【００１４】
【図１】図１は、無線通信システム10の全体概略構成図である。
【図２】図２は、MME100Bの機能ブロック構成図である。
【図３】図３は、MME100Aの機能ブロック構成図である。
【図４】図４は、HSS400の機能ブロック構成図である。
【図５】図５は、UE20宛てのバッファリングデータが存在する状態において、UE20がTAU Requestを送信した場合におけるeDRX情報の通知動作概念図（動作例１）を示す図である。
【図６】図６は、UE20宛てのバッファリングデータが存在する状態において、UE20がTAU Requestを送信した場合におけるeDRX情報の通知シーケンス（動作例１）を示す図である。
【図７】図７は、UE20宛てのバッファリングデータが存在する状態において、UE20がTAU Requestを送信した場合におけるeDRX情報の通知動作概念図（動作例２）を示す図である。
【図８】図８は、UE20宛てのバッファリングデータが存在する状態において、UE20がTAU Requestを送信した場合におけるeDRX情報の通知シーケンス（動作例２）を示す図である。
【図９】図９は、UE20がTAU Requestを送信した場合におけるeDRX情報の通知シーケンス（UE20宛てのバッファリングデータが存在しない場合における従来例）を示す図である。
【図１０】図１０は、MME100A、MME100B及びHSS400のハードウェア構成の一例を示す図である。
【発明を実施するための形態】
【００１５】
以下、実施形態を図面に基づいて説明する。なお、同一の機能や構成には、同一または類似の符号を付して、その説明を適宜省略する。
【００１６】
（１）無線通信システムの全体概略構成
図１は、本実施形態に係る無線通信システム10の全体概略構成図である。無線通信システム10は、Long Term Evolution（LTE）に従った無線通信システムであり、LTEのRelease-13に対応している。
【００１７】
なお、無線通信システム10は、必ずしもLTE（E-UTRAN）に限定されない。例えば、は、無線通信システム10は、5G New Radio（NR）などと呼ばれるLTEの後継システムであってもよい。
【００１８】
無線通信システム10は、ユーザ装置20（以下、UE20）及び無線基地局30A, 30B（以下、eNB30A, eNB30B）を含む。UE20及びeNB30A, 30Bは、LTEの仕様に従った無線通信を実行する。特に、本実施形態では、UE20は、通常の間欠受信（Discontinuous Reception (DRX)）の周期を引き延ばしたextended DRX（eDRX）を適用できる。
【００１９】
無線通信システム10は、IPネットワーク40に接続される。IPネットワーク40は、無線通信システム10のオペレータによるIPサービスを提供する。IPネットワーク40には、IP Multimedia Subsystem（IMS）などが含まれてもよい。
【００２０】
また、無線通信システム10は、コアネットワークを構成する複数のノードを含む。具体的には、当該コアネットワークは、移動管理エンティティ（Mobility Management Entity）100A, 100B（以下、MME100A, MME100B）、サービングゲートウェイ200A, 200B（以下、S-GW200A, S-GW200B）、及びPacket Data Network（PDN）ゲートウェイ300（以下、P-GW300）によって構成される。
【００２１】
MME100Aは、eNB30Aを収容し、UE20のモビリティ制御及びベアラ制御機能を提供する。MME100Bは、eNB30Bを収容し、UE20のモビリティ制御及びベアラ制御機能を提供する。
【００２２】
なお、MME100A及びMME100Bは、移動管理装置、或いは単にネットワーク装置などと呼ばれてもよい。
【００２３】
また、本実施形態では、MME100A（Old MME）に対して位置登録されているUE20が、MME100B（New MME）に対して位置登録の更新（TAU Request）を要求するケースを想定する。
【００２４】
MME100A及びMME100Bには、加入者情報サーバ（Home Subscriber Server）400（以下、HSS400）が接続される。HSS400は、UE20の加入者情報を保持する。加入者情報には、UE20の契約情報、及び認証情報などが含まれる。また、加入者情報には、eDRXの設定情報（eDRXの周期など）が含まれる。
【００２５】
（２）無線通信システムの機能ブロック構成
次に、無線通信システム10の機能ブロック構成について説明する。具体的には、MME100A、MME100B及びHSS400の機能ブロック構成について説明する。なお、説明の便宜上、MME100B（New MME）の機能ブロック構成を先に説明する。また、MME100A（Old MME）及びMME100B（New MME）は、実際に同様の機能を有するが、ここでは、理解を容易にするため、Old MMEとNew MMEとの機能に分けて説明する。
【００２６】
（２．１）MME100B（New MME）
図２は、MME100Bの機能ブロック構成図である。図２に示すように、MME100Bは、位置登録要求受信部111、位置登録処理部113、セッション設定部115、eDRX情報取得部117、位置登録受諾送信部119、コンテキスト処理部121及び認証処理部123を備える。
【００２７】
位置登録要求受信部111は、UE20から位置登録要求を受信する。具体的には、位置登録要求受信部111は、UE20から送信されたTracking Area Update (TAU) Request（TAU Request）をeNB30B経由で受信する。
【００２８】
位置登録処理部113は、位置登録要求受信部111が受信したTAU Requestに基づいて、UE20の位置登録（Tracking Area Update）処理を実行する。具体的には、位置登録処理部113は、受信したTAU Requestに基づいて、MME100A（Old MME）に対して、MME100Aが保持しているUE20用のコンテキストの取得を要求する。
【００２９】
より具体的には、位置登録処理部113は、コンテキスト処理部121に対して、UE20用のコンテキストの取得を要求する。位置登録処理部113は、コンテキスト処理部121が受信したContext Response（コンテキスト応答）に含まれるUE20用のコンテキストを取得する。
【００３０】
当該コンテキストには、UE20の各種設定情報、例えば、International Mobile Subscriber Identity（IMSI）、UE Network Capability及びUE AMBR (Aggregate Maximum Bit Rate)などが含まれる（3GPP TS23.401 5.7.2章参照）。また、当該コンテキストには、S-GW200A（Old S-GW）において、UE20宛てのバッファリングデータが存在することを示す情報（DL Data Buffer Expiration Time）も含まれる。
【００３１】
位置登録処理部113は、MME100Aから受信したUE20用のコンテキストに基づいて位置登録の処理を実行する。また、位置登録処理部113は、MME100Bと接続されているS-GW200B（New S-GW）とのセッションの設定をセッション設定部115に要求する。
【００３２】
セッション設定部115は、位置登録処理部113からの要求に基づいて、セッションを設定する。具体的には、セッション設定部115は、MME〜S-GW間のS11インタフェースを介してCreate Session RequestをS-GW200Bに送信する。また、セッション設定部115は、Create Session Requestに対する応答であるCreate Session ResponseをS-GW200Bから受信する。Create Session RequestがS-GW200B（New S-GW）に送信されることによって、UE20宛てのバッファリングデータを転送するために必要なユーザプレーンのベアラが再設定される。
【００３３】
eDRX情報取得部117は、UE20に適用されるeDRXに関する情報（eDRX情報）を取得する。具体的には、eDRX情報取得部117は、UE20と対応付けられた加入者情報によって規定される間欠受信の設定情報を取得する。本実施形態において、eDRX情報取得部117は、設定情報取得部を構成する。
【００３４】
間欠受信の設定情報には、通常のDRX（スリープ時間：最大2.56秒）も含まれ得るが、本実施形態では、特に、eDRXの設定情報が対象である。eDRXの設定情報には、UE20に適用されるeDRXの周期（スリープ時間）などが含まれる。
【００３５】
本実施形態では、eDRX情報取得部117は、S-GW200A（ゲートウェイ装置）においてUE20宛てのバッファリングデータ、つまり、UE20宛ての下りリンクデータ（DLデータ）が存在する場合、UE20と対応付けられたeDRX情報を取得する。
【００３６】
具体的には、eDRX情報取得部117は、MME100A（Old MME）が保持しているeDRX情報を取得することができる。MME100Aは、UE20がTAU Requestを送信する前に、UE20が位置登録されていた移動管理エンティティ（旧移動管理エンティティ）であり、UE20に適用されているeDRX情報を保持している。
【００３７】
より具体的には、eDRX情報取得部117は、MME100Aから送信されたContext Responseに含まれるeDRX情報を取得する。また、上述したように、Context Responseは、UE20宛てのバッファリングデータ（DLデータ）の存在を示す情報を含むことができる。
【００３８】
また、eDRX情報取得部117は、HSS400からeDRX情報を取得することもできる。具体的には、eDRX情報取得部117は、HSS400によって送信されるAuthentication Information Answerに含まれているeDRX情報を取得する。
【００３９】
Authentication Information Answerは、認証処理部123によってHSS400に送信されるAuthentication Information Requestに対する応答（認証情報応答）である。
【００４０】
位置登録受諾送信部119は、UE20に向けて位置登録受諾を送信する。具体的には、位置登録受諾送信部119は、位置登録要求受信部111によるTAU Requestの受信に応じて、TAU AcceptをUE20に向けて送信する。
【００４１】
特に、本実施形態では、位置登録受諾送信部119は、eDRX情報取得部117によって取得されたeDRX情報を含むTAU AcceptをUE20に向けて送信する。
【００４２】
コンテキスト処理部121は、MME100A（Old MME）と、UE20用のコンテキストの取得に関する処理を実行する。
【００４３】
具体的には、コンテキスト処理部121は、UE20用のコンテキストの取得を要求するContext RequestをMME100Aに送信する。また、コンテキスト処理部121は、Context Requestに対する応答であるContext Response（コンテキスト応答）をMME100Aから受信する。
【００４４】
認証処理部123は、UE20の認証及びセキュリティに関する処理を実行する。具体的には、認証処理部123は、UE20用の認証情報を要求するAuthentication Information RequestをHSS400に送信する。また、認証処理部123は、Authentication Information Requestに対する応答であるAuthentication Information Answer（認証情報応答）をHSS400から受信する。
【００４５】
（２．２）MME100A（Old MME）
図３は、MME100Aの機能ブロック構成図である。図３に示すように、MME100Aは、コンテキスト処理部151、DLデータ管理部153及びeDRX情報処理部155を備える。
【００４６】
コンテキスト処理部151は、MME100B（New MME）と、UE20用のコンテキストの取得に関する処理を実行する。具体的には、コンテキスト処理部151は、MME100Bから受信したContext Requestに応じて、UE20用のコンテキストを含むContext ResponseをMME100Bに返送する。
【００４７】
特に、コンテキスト処理部151は、MME100Bと接続されているS-GW200A（Old S-GW）において、UE20宛てのバッファリングデータが存在することを示す情報をContext Responseに含める。具体的には、コンテキスト処理部151は、DLデータ管理部153によって管理されているUE20宛てのバッファリングデータの存在を確認し、当該バッファリングデータが存在する場合、UE20宛てのバッファリングデータが存在することを示す情報をContext Responseに含める。
【００４８】
DLデータ管理部153は、コアネットワーク、具体的には、S-GW200BからUE20向けの下りリンク（DL）におけるデータの送信状態を管理する。DLデータ管理部153は、UE20用のDLデータのバッファの状態を管理し、バッファリングされているDLデータが存在するか否かをコンテキスト処理部151に通知する。
【００４９】
eDRX情報処理部155は、HSS400から送信されるUE20のeDRX情報を取得する。具体的には、eDRX情報処理部155は、HSS400から送信されるInsert Subscriber Data Requestに含まれるeDRX情報を取得する。
【００５０】
また、eDRX情報処理部155は、UE20に適用されるeDRX情報をMME100Bに通知する。具体的には、eDRX情報処理部155は、UE20に適用されるeDRX情報をContext Responseに含めるようにコンテキスト処理部151に指示する。この結果、コンテキスト処理部151が返送するContext Responseに当該eDRX情報が含まれる。
【００５１】
（２．３）HSS400
図４は、HSS400の機能ブロック構成図である。図４に示すように、HSS400は、加入者情報保持部410、加入者情報提供部420及び認証情報処理部430を備える。
【００５２】
加入者情報保持部410は、無線通信システム10を利用するUE（UE20を含む）の加入者情報を保持する。具体的には、加入者情報保持部410は、UE20の契約情報及び認証情報などを保持する。また、加入者情報保持部410は、UE20に適用されるeDRX情報を保持する。
【００５３】
加入者情報提供部420は、加入者情報保持部410によって保持されている加入者情報をMMEに提供する。本実施形態では、加入者情報提供部420は、UE20がTAU Requestの送信前に位置登録されていたMME100A（Old MME）に対してUE20のeDRX情報を提供する。
【００５４】
具体的には、加入者情報提供部420は、UE20のeDRX情報を含むInsert Subscriber Data RequestをMME100Aに送信する。これにより、MME100Aは、UE20のeDRX情報を取得し得る。なお、MME100Aは、Insert Subscriber Data Requestではなく、AttachまたはTAU手順においてUE20のeDRX情報を取得してもよい。
【００５５】
認証情報処理部430は、UE20の認証及びセキュリティに関する処理を実行する。具体的には、認証情報処理部430は、UE20用の認証情報を要求するAuthentication Information RequestをMME100Bから受信する。また、認証情報処理部430は、Authentication Information Requestに対する応答であるAuthentication Information AnswerをMME100Bに送信する。Authentication Information Answerには、UE20用の認証情報などが含まれる。
【００５６】
また、Authentication Information Answerには、UE20のeDRX情報を含めることができる。
【００５７】
（３）無線通信システムの動作
次に、無線通信システム10の動作について説明する。具体的には、無線通信システム10内におけるUE20のeDRX情報の通知に関する動作について説明する。特に、UE20が、TAU Requestを送信した時点において、UE20宛てのバッファリングデータ（DLデータ）が存在する場合におけるeDRX情報の通知動作について説明する。
【００５８】
（３．１）動作例１
図５は、UE20宛てのバッファリングデータが存在する状態において、UE20がTAU Requestを送信した場合におけるeDRX情報の通知動作概念図（動作例１）を示す。
【００５９】
本動作例では、MME100A（Old MME）からMME100B（New MME）に対して、UE20のeDRX情報が引き継がれる。なお、MME100Aは、UE20がTAU Requestを送信するまで、UE20が在圏（待ち受け）していたMMEであることから、旧在圏MMEと呼ばれてもよい。また、MME100Bは、新在圏MMEと呼ばれてもよい。
【００６０】
図５に示すように、HSS400は、UE20のeDRX情報（設定情報）の内容に変更があった場合（新たに設定された場合も含む）、更新されたeDRX情報を含むInsert Subscriber Data RequestをMME100Aに送信する（図中の(1), (2)）。
【００６１】
その後、UE20は、所定条件が満たされたため、TAU RequestをMME100Aに送信する（図中の(3)）。なお、所定条件とは、典型的には、UE20が移動することによって、MME100Bが管理する位置登録エリア（トラッキングエリア）内に入った場合が挙げられる。
【００６２】
MME100Bは、UE20用のコンテキストの取得を要求するContext RequestをMME100Aに送信する（図中の(4)）。
【００６３】
MME100Aは、UE20用のコンテキストを含むContext ResponseをMME100Bに返送する（図中の(5)）。UE20宛てのバッファリングデータが存在する場合、Context Responseには、UE20宛てのバッファリングデータが存在することを示す情報と、UE20のeDRX情報とが含まれる。当該eDRX情報は、MME100A内部で保持されている局データに基づくものではなく、また、UE20が要求した値に基づくものでもなく、HSS400から提供されたUE20の加入者情報として管理されているeDRX情報である。以下、MME100A及びMME100Bにおいて、このようなeDRX情報を「eDRX情報：加入者情報」と適宜表記する。
【００６４】
MME100Bは、MME100Aから受信したeDRX情報を含むTAU AcceptをUE20に送信する（図中の(6)。UE20及びeNB30B（図５において不図示）は、受信したTAU Acceptに含まれるeDRX情報に基づいて、UE20に適用されるeDRXの周期などを設定する。
【００６５】
以下、図５に示したeDRX情報の通知動作について、シーケンス図を参照してさらに詳細に説明する。
【００６６】
図６は、UE20宛てのバッファリングデータが存在する状態において、UE20がTAU Requestを送信した場合におけるeDRX情報の通知シーケンス（動作例１）を示す。
【００６７】
図６に示すように、HSS400は、eDRX情報を含むInsert Subscriber Data RequestをMME100Aに送信する（S10）。MME100Aは、Insert Subscriber Data Requestに対するAck.をHSS400に返送する。
【００６８】
また、S-GW200A（Old S-GW）は、UE20がeDRXによってスリープ状態となっている間、つまり、UE20が次のページング受信を試みるまでの間、UE20宛てのDLデータをバッファリングする（S20）。また、MME100AとS-GW200Aとは、S11インタフェースを介して通信可能な接続状態が維持されている。
【００６９】
このような状態において、UE20は、TAU RequestをMME100A（New MME）に送信する（S30）。
【００７０】
TAU Requestを受信したMME100Bは、UE20用のコンテキストの取得を要求するContext RequestをMME100Aに送信する（S40）。MME100Aは、UE20用のコンテキストを含むContext ResponseをMME100Bに返送する（S50）。上述したように、Context Responseには、UE20宛てのバッファリングデータが存在することを示す情報と、UE20のeDRX情報とが含まれる。
【００７１】
MME100Bは、UE20宛てのバッファリングデータを転送するため、セッションの設定を要求するCreate Session RequestをS-GW200B（New S-GW）に送信する（S60）。S-GW200Bは、Create Session Responseを返送する（S70）。これにより、ユーザプレーンのベアラが再設定される。具体的には、S-GW200BとP-GW300（図１参照）との間でベアラが設定される。
【００７２】
また、MME100Bは、S50において受信したContext Responseに、UE20宛てのバッファリングデータが存在することを示す情報と、UE20のeDRX情報とが含まれているため、UE20にeDRX情報を通知することを決定する（S80）。
【００７３】
なお、UE20の位置登録の更新処理（図６に示すS140までの処理）が完了すると、MME100Aが保持しているUE20のコンテキストは消去されるため、S-GW200A（Old S-GW）においてバッファリングされているUE20宛てのDLデータは、速やかにUE20に転送する必要がある。
【００７４】
MME100Bは、UE20のeDRX情報を含むTAU Accept、実質的には、Initial Context Setup RequestをeNB30Bに送信する（S90）。
【００７５】
eNB30Bは、Initial Context Setup Requestに含まれているUE20のeDRX情報を取得し、当該eDRX情報を含むTAU AcceptをUE20に送信する（S100）。また、eNB30Bは、Initial Context Setup Requestに対する応答であるInitial Context ResponseをMME100Bに返送する（S110）。
【００７６】
Initial Context Responseを受信したMME100Bは、UE20宛てのバッファリングデータを含むDLデータの転送処理（Data Forwarding）を開始する（S120）。具体的には、MME100Bは、S-GW200A及びS-GW200Bに当該DLデータの転送開始を指示する。
【００７７】
当該転送処理を開始後、MME100Bは、UE20の位置登録の更新に伴って、UE20の加入者情報を要求するUpdate Location RequestをHSS400に送信する（S130）。HSS400は、UE20の加入者情報を含むUpdate Location AnswerをMME100Bに返送する（S140）。Update Location Answerには、UE20に適用されるeDRX情報も含まれる。
【００７８】
（３．２）動作例２
図７は、UE20宛てのバッファリングデータが存在する状態において、UE20がTAU Requestを送信した場合におけるeDRX情報の通知動作概念図（動作例２）を示す。
【００７９】
本動作例では、MME100B（New MME）が、TAU Acceptの送信前に、UE20のeDRX情報をHSS400から取得する。
【００８０】
以下、動作例１と異なる部分について主に説明し、同様の部分については、適宜説明を省略する。
【００８１】
図７に示す(1)〜(4)は、動作例１（図５参照）と同様である。MME100Aは、UE20用のコンテキストを含むContext ResponseをMME100Bに返送する（図中の(5)）。Context Responseには、UE20宛てのバッファリングデータが存在することを示す情報が含まれる。
【００８２】
MME100Bは、受信したContext Responseに基づいて、UE20用の認証情報を要求するAuthentication Information RequestをHSS400に送信する（図中の(6)）。HSS400は、Authentication Information Requestに対する応答であるAuthentication Information AnswerをMME100Bに返送する（図中の(7)）。Authentication Information Answerには、UE20のeDRX情報が含まれる。
【００８３】
MME100Bは、HSS400から受信したeDRX情報を含むTAU AcceptをUE20に送信する（図中の(8)。UE20及びeNB30B（図７において不図示）は、受信したTAU Acceptに含まれるeDRX情報に基づいて、UE20に適用されるeDRXの周期などを設定する。
【００８４】
以下、図７に示したeDRX情報の通知動作について、シーケンス図を参照してさらに詳細に説明する。
【００８５】
図８は、UE20宛てのバッファリングデータが存在する状態において、UE20がTAU Requestを送信した場合におけるeDRX情報の通知シーケンス（動作例２）を示す。
【００８６】
図８のS210〜S240の処理は、動作例１（図６）のS10〜S40と同様である。MME100Aは、UE20用のコンテキストを含むContext ResponseをMME100Bに返送する（S250）。Context Responseには、UE20宛てのバッファリングデータが存在することを示す情報が含まれる。
【００８７】
MME100Bは、UE20用の認証情報を要求するAuthentication Information RequestをHSS400に送信する（S260）。HSS400は、Authentication Information Requestに対する応答であるAuthentication Information AnswerをMME100Bに返送する（S270）。
【００８８】
Authentication Information Answerには、UE20のeDRX情報が含まれる。なお、HSS400は、UE20用の認証情報を要求するAuthentication Information RequestをMME100Bから受信した場合、常にUE20のeDRX情報を含むAuthentication Information Answerを送信する。
【００８９】
或いは、UE20のeDRX情報を要求するフラグなどの識別情報がAuthentication Information Requestに明示的に含まれている場合にのみ、HSS400は、UE20のeDRX情報を含むAuthentication Information Answerを送信するようにしてもよい。
【００９０】
また、S280〜S360の処理は、動作例１（図６）のS60〜S140と同様である。
【００９１】
（４）作用・効果
上述した実施形態によれば、以下の作用効果が得られる。具体的には、MME100B（New MME）は、S-GW200A（Old S-GW）においてUE20宛てのバッファリングデータ、つまり、UE20宛ての下りリンクデータ（DLデータ）が存在する場合、UE20と対応付けられたeDRX情報を取得する。さらに、MME100Bは、取得したeDRX情報を含むTAU AcceptをUE20に向けて送信する。
【００９２】
このため、UE20が新在圏MMEであるMME100Bに位置登録（TAU）を実行した際に、UE20宛てのDLデータがS-GW200Aにおいてバッファリングされている場合でも、UE20に対して加入者情報に基づく適切なeDRXの設定情報を通知し得る。
【００９３】
以下、このような効果について、従来のUE20の位置登録動作と比較しつつ、さらに説明する。
【００９４】
図９は、UE20がTAU Requestを送信した場合におけるeDRX情報の通知シーケンス（UE20宛てのバッファリングデータが存在しない場合における従来例）を示す。図９に示す各ステップの番号は、図６に示した動作例１と対応している。
【００９５】
図９に示すように、HSS400から提供される加入者情報に基づくeDRX情報、つまり、MME100A内部で保持されている局データに基づくものではなく、また、UE20が要求した値に基づくものでもないeDRX情報は、S140のAuthentication Information Answerにおいて、HSS400からMME100Bに送信される。その後、当該eDRX情報を含むTAU AcceptがUE20に送信される。
【００９６】
このため、UE20及びeNB30Bは、受信したTAU Acceptに含まれるeDRX情報に基づいて、UE20に適用されるeDRXの周期などを設定できる。
【００９７】
しかしながら、UE20宛てのバッファリングデータが存在する場合、上述したように、当該バッファリングデータを速やかにUE20に転送する必要がある。具体的には、UE20の位置登録の更新処理、具体的には、Update Location Request（S130）及びUpdate Location Answer（S140）の処理が完了する前に、UE20宛てのバッファリングデータを含むDLデータの転送処理（Data Forwarding）を開始する必要がある（図６のS120参照）。
【００９８】
このような場合、HSS400から提供される加入者情報に基づくeDRX情報をUE20（及びeNB30B）に通知できない問題が発生するが、本実施形態によれば、上述した動作例１及び動作例２によって、このような問題を解消している。
【００９９】
具体的には、MME100Bは、MME100A（Old MME）から送信されたContext Responseに含まれるeDRX情報を取得することができる（動作例１）。Context Responseは、UE20の位置登録の更新に伴って、Old MMEからNew MMEに必ず送信されるものであり、特に新たなシーケンスを追加する必要もない。さらに、MME100Aは、UE20のeDRX情報を保持しているため、単にContext Responseに当該eDRX情報を含めるだけでよい。
【０１００】
また、MME100Bは、HSS400によって送信されるAuthentication Information Answerに含まれているeDRX情報を取得することもできる（動作例２）。当該eDRX情報は、HSS400から送信される最新かつ適切なUE20のeDRX情報であるため、UE20の位置登録の更新後においても、より確実に適切なUE20のeDRX情報を設定し得る。
【０１０１】
（５）その他の実施形態
以上、実施形態に沿って本発明の内容を説明したが、本発明はこれらの記載に限定されるものではなく、種々の変形及び改良が可能であることは、当業者には自明である。
【０１０２】
例えば、上述した実施形態では、UE20に適用されるeDRX情報、具体的には、eDRXの設定情報（eDRXの周期など）を例として説明したが、必ずしもeDRXには限定されず、UE20に設定される間欠受信に関する設定情報であればよい。特に、eDRXのように、間欠受信（ページング受信を試みるタイミング）の設定パラメータが多岐に亘っており、加入者情報によって個別に当該設定情報が規定される場合に、本発明は特に有効である。
【０１０３】
また、加入者情報に基づくeDRX情報を含むメッセージ（Context Response, Authentication Information Answer）の名称は、一例であり、同様のシーケンスで送受信されるメッセージであれば、他のメッセージに当該eDRX情報が含まれてもよい。
【０１０４】
さらに、上述した実施形態では、MME100A（Old MME）がeDRX情報をMME100B（New MME）に通知していたが、MMEではなく、他のネットワーク装置、具体的には、S4インタフェースを介して接続されるServing GPRS Support Node (SGSN)がeDRX情報をMME100Bに通知してもよい。
【０１０５】
上述した実施形態の説明に用いたブロック構成図（図２〜４）は、機能ブロックを示している。これらの機能ブロック（構成部）は、ハードウェア及び／またはソフトウェアの任意の組み合わせによって実現される。また、各機能ブロックの実現手段は特に限定されない。すなわち、各機能ブロックは、物理的及び／または論理的に結合した１つの装置により実現されてもよいし、物理的及び／または論理的に分離した２つ以上の装置を直接的及び／または間接的に（例えば、有線及び／または無線）で接続し、これら複数の装置により実現されてもよい。
【０１０６】
さらに、上述したMME100A、MME100B及びHSS400（当該装置）は、本発明の処理を行うコンピュータとして機能してもよい。図１０は、当該装置のハードウェア構成の一例を示す図である。図１０に示すように、当該装置は、プロセッサ1001、メモリ1002、ストレージ1003、通信装置1004、入力装置1005、出力装置1006及びバス1007などを含むコンピュータ装置として構成されてもよい。
【０１０７】
当該装置の各機能ブロック（図２〜４参照）は、当該コンピュータ装置の何れかのハードウェア要素、または当該ハードウェア要素の組み合わせによって実現される。
【０１０８】
プロセッサ1001は、例えば、オペレーティングシステムを動作させてコンピュータ全体を制御する。プロセッサ1001は、周辺装置とのインタフェース、制御装置、演算装置、レジスタなどを含む中央処理装置（CPU）で構成されてもよい。
【０１０９】
メモリ1002は、コンピュータ読み取り可能な記録媒体であり、例えば、ROM（Read
Only Memory）、EPROM（Erasable Programmable ROM）、EEPROM（Electrically Erasable Programmable ROM）、RAM（Random Access Memory）などの少なくとも１つで構成されてもよい。メモリ1002は、レジスタ、キャッシュ、メインメモリ（主記憶装置）などと呼ばれてもよい。メモリ1002は、上述した実施形態に係る方法を実行可能なプログラム（プログラムコード）、ソフトウェアモジュールなどを保存することができる。
【０１１０】
ストレージ1003は、コンピュータ読み取り可能な記録媒体であり、例えば、CD-ROM（Compact Disc ROM）などの光ディスク、ハードディスクドライブ、フレキシブルディスク、光磁気ディスク（例えば、コンパクトディスク、デジタル多用途ディスク、Blu-ray（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ1003は、補助記憶装置と呼ばれてもよい。上述の記録媒体は、例えば、メモリ1002及び／またはストレージ1003を含むデータベース、サーバその他の適切な媒体であってもよい。
【０１１１】
通信装置1004は、有線及び／または無線ネットワークを介してコンピュータ間の通信を行うためのハードウェア（送受信デバイス）であり、例えばネットワークデバイス、ネットワークコントローラ、ネットワークカード、通信モジュールなどともいう。
【０１１２】
入力装置1005は、外部からの入力を受け付ける入力デバイス（例えば、キーボード、マウス、マイクロフォン、スイッチ、ボタン、センサなど）である。出力装置1006は、外部への出力を実施する出力デバイス（例えば、ディスプレイ、スピーカー、LEDランプなど）である。なお、入力装置1005及び出力装置1006は、一体となった構成（例えば、タッチパネル）であってもよい。
【０１１３】
また、プロセッサ1001及びメモリ1002などの各装置は、情報を通信するためのバス1007で接続される。バス1007は、単一のバスで構成されてもよいし、装置間で異なるバスで構成されてもよい。
【０１１４】
また、情報の通知は、上述した実施形態に限られず、他の方法で行われてもよい。例えば、情報の通知は、物理レイヤシグナリング（例えば、DCI（Downlink Control Information）、UCI（Uplink Control Information））、上位レイヤシグナリング（例えば、RRCシグナリング、MAC（Medium Access Control）シグナリング、報知情報（MIB（Master Information Block）、SIB（System Information Block））、その他の信号またはこれらの組み合わせによって実施されてもよい。また、RRCシグナリングは、RRCメッセージと呼ばれてもよく、例えば、RRC Connection Setupメッセージ、RRC Connection Reconfigurationメッセージなどであってもよい。
【０１１５】
さらに、入出力された情報は、特定の場所（例えば、メモリ）に保存されてもよいし、管理テーブルで管理してもよい。入出力される情報は、上書き、更新、または追記され得る。出力された情報は削除されてもよい。入力された情報は他の装置へ送信されてもよい。
【０１１６】
上述した実施形態におけるシーケンス及びフローチャートなどは、矛盾の無い限り、順序を入れ替えてもよい。
【０１１７】
また、上述した実施形態において、MME100A及びMME100Bによって行われるとした特定動作は、他のネットワークノード（装置）によって行われることもある。また、複数の他のネットワークノードの組み合わせによって当該MMEの機能が提供されても構わない。
【０１１８】
なお、本明細書で説明した用語及び／または本明細書の理解に必要な用語については、同一のまたは類似する意味を有する用語と置き換えてもよい。例えば、該当する記載がある場合、チャネル及び／またはシンボルは信号（シグナル）であってもよい。また、信号はメッセージであってもよい。また、「システム」及び「ネットワーク」という用語は、互換的に使用されてもよい。
【０１１９】
さらに、パラメータなどは、絶対値で表されてもよいし、所定の値からの相対値で表されてもよいし、対応する別の情報で表されてもよい。例えば、無線リソースはインデックスで指示されるものであってもよい。
【０１２０】
eNB30A及びeNB30B（基地局）は、１つまたは複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局RRH：Remote Radio Head）によって通信サービスを提供することもできる。
【０１２１】
「セル」または「セクタ」という用語は、このカバレッジにおいて通信サービスを行う基地局、及び／または基地局サブシステムのカバレッジエリアの一部または全体を指す。さらに、「基地局」「eNB」、「セル」、及び「セクタ」という用語は、本明細書では互換的に使用され得る。基地局は、固定局（fixed station）、NodeB、eNodeB（eNB）、gNodeB（gNB）、アクセスポイント（access point）、フェムトセル、スモールセルなどの用語で呼ばれる場合もある。
【０１２２】
UE20は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１２３】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１２４】
また、「含む（including）」、「含んでいる（comprising）」、及びそれらの変形の用語は、「備える」と同様に、包括的であることが意図される。さらに、本明細書或いは特許請求の範囲において使用されている用語「または（or）」は、排他的論理和ではないことが意図される。
【０１２５】
本明細書で使用した「第１」、「第２」などの呼称を使用した要素へのいかなる参照も、それらの要素の量または順序を全般的に限定するものではない。これらの呼称は、２つ以上の要素間を区別する便利な方法として本明細書で使用され得る。したがって、第１及び第２の要素への参照は、２つの要素のみがそこで採用され得ること、または何らかの形で第１の要素が第２の要素に先行しなければならないことを意味しない。
【０１２６】
本明細書の全体において、例えば、英語でのa, an, 及びtheのように、翻訳により冠詞が追加された場合、これらの冠詞は、文脈から明らかにそうではないことが示されていなければ、複数のものを含むものとする。
【０１２７】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【符号の説明】
【０１２８】
10  無線通信システム
20  UE
30A, 30B  eNB
40  IPネットワーク
100A, 100B  MME
111  位置登録要求受信部
113  位置登録処理部
115  セッション設定部
117  eDRX情報取得部
119  位置登録受諾送信部
121  コンテキスト処理部
123  認証処理部
151  コンテキスト処理部
153  DLデータ管理部
155  eDRX情報処理部
200A, 200B  S-GW
300  P-GW
400  HSS
410  加入者情報保持部
420  加入者情報提供部
430  認証情報処理部
1001  プロセッサ
1002  メモリ
1003  ストレージ
1004  通信装置
1005  入力装置
1006  出力装置
1007  バス
【図１】
2019033432.tif 000003
【図２】
2019033432.tif 000004
【図３】
2019033432.tif 000005
【図４】
2019033432.tif 000006
【図５】
2019033432.tif 000007
【図６】
2019033432.tif 000008
【図７】
2019033432.tif 000009
【図８】
2019033432.tif 000010
【図９】
2019033432.tif 000011
【図１０】
2019033432.tif 000012